(57)【要約】【課題】リアサイドガラスの窓晴れ性を確保して、車両周りの視界を確保する。【解決手段】車体の前側に配置された空調ユニット４からの空調風をリアシート３側に導くリアダクト７と、リアダクト７に接続された状態でリアシート３側で開口し、リアサイドガラス１１に空調風を吹き付けるリアサイドガラス吹出口１０とを有する。【選択図】図２
2005289282.tif 000002
【特許請求の範囲】
【請求項１】
車体の前側に配置された空調ユニット（４）からの空調風をリアシート（３）側に導くリアダクト（７）と、
このリアダクト（７）に接続された状態で該リアシート（３）側で開口し、リアサイドガラス（１１）に空調風を吹き付けるリアサイドガラス吹出口（１０）とを有することを特徴とする車両用空調装置。
【請求項２】
前記リアサイドガラス吹出口（１０）は、前記リアシート着座者への配風を行うリアベント吹出口（１０）と一体となっており、リアベント吹出口（１０）に設けたルーバ（１３）の角度変更によって該リアサイドガラス（１１）に空調風を吹き付けることを特徴とする請求項１記載の車両用空調装置。
【請求項３】
前記リアサイドガラス吹出口（１０）は、前記リアダクト（７）に接続されリアサイドパネル（８）に延びるサイドピラー（９）に開口していることを特徴とする請求項１または２記載の車両用空調装置。
【請求項４】
前記リアダクト（７）内に補助ヒータ（１５）が配置されていることを特徴とする請求項１〜３のいずれか１項記載の車両用空調装置。
【発明の詳細な説明】
【技術分野】
【０００１】
本発明は、車両用空調装置に関し、特に、リアサイドガラスの曇りを除去できる機能を備えることにより、車両周りの視界を向上させることが可能な車両用空調装置を提供することを目的とする。
【背景技術】
【０００２】
車内の全体温度の均一化やリアシート着座者に快適さを与えるためには、フロントシート側だけでなくリアシート側に対しても空調を行うことが良好である。特許文献１には、このような構造の従来の車両用空調装置が記載されている。
【０００３】
この従来の車両用空調装置は、車両の前後方向に延びるリアダクトをフロアパネル上に敷設し、リアダクトの上流側を空調ユニットに接続している。空調ユニットは、インストルメントパネルの内部に設けられることにより、車両の前側に配置されており、外気及び内気を吸引して吹き出すブロアと、ブロアからの空気流路内に配置された冷却用熱交換器としてのエバポレータと、加熱用熱交換器としてのヒータコアとを有すると共に、冷房エア、暖房エアの切り換えを行うエアミックスドアがエバポレータ及びヒータコアの間に配置された構造となっている。また、空調風をフロントガラスに吹き出してフロントガラスの窓晴れを行うためデフロストダクトに接続されるデフ口、フロントシート着座者へ空調風を吹き出すためダクトに接続されるフロントセンタベント口及びサイドベント口、フットベント口が開口されている。
【０００４】
リアダクトは、空調ユニットから車両の後方側に延びており、その延設部分が複数に分岐されることにより、リアセンタベント口、リアフットベント口が開口されている。これにより、リアシート着座者に対する空調風の配風を行うことが可能となっている。
【特許文献１】特開平７−３２８５７号公報
【発明の開示】
【発明が解決しようとする課題】
【０００５】
しかしながら、従来の車両用空調装置では、デフロストダクトに空調風を供給してフロントガラスの窓晴れを行うことができるが、リアシート側に対しては、リアシート着座者に対する配風だけとなっている。このため、リアサイドガラスの窓晴れを行うことができず、車両周りの良好な視界を得ることができないことから、特に、外気温度が低い冬季等においては、リアサイドガラスが曇り易く、視界が悪いものとなっている。
【０００６】
本発明は、このような従来の問題点を考慮してなされたものであり、リアサイドガラスの窓晴れ性を簡単な構造で確保することができ、車両周囲の視界を向上されることが可能な車両用空調装置を提供することを目的とする。
【課題を解決するための手段】
【０００７】
請求項１記載の発明の車両用空調装置は、車体の前側に配置された空調ユニットからの空調風をリアシート側に導くリアダクトと、このリアダクトに接続された状態で該リアシート側で開口し、リアサイドガラスに空調風を吹き付けるリアサイドガラス吹出口とを有することを特徴とする。
【０００８】
請求項２記載の発明は、請求項１記載の車両用空調装置であって、前記リアサイドガラス吹出口は、前記リアシート着座者への配風を行うリアベント吹出口と一体となっており、リアベント吹出口に設けたルーバの角度変更によって該リアサイドガラスに空調風を吹き付けることを特徴とする。
【０００９】
請求項３記載の発明は、請求項１または２記載の車両用空調装置であって、前記リアサイドガラス吹出口は、前記リアダクトに接続されリアサイドパネルに延びるサイドピラーに開口していることを特徴とする。
【００１０】
請求項４記載の発明は、請求項１〜３のいずれか１項記載の車両用空調装置であって、前記リアダクト内に補助ヒータが配置されていることを特徴とする。
【発明の効果】
【００１１】
請求項１記載の発明によれば、リアサイドガラスに空調風を吹き付けるリアサイドガラス吹出口を備えるため、リアサイドガラスの曇りを速やかに除去でき、リアサイドガラスの窓晴れ性を確保できる。このため、車両周りの視界を向上させることができ、安全性が向上する。
【００１２】
また、リアサイドガラスからの外気の侵入があっても、リアサイドガラスが温調されているため、外気による着座者への体感性を緩和することができる。
【００１３】
さらに、リアサイドガラス吹出口がリアダクトに接続されるため、リアサイドガラス吹出口に対しては、車内空調を行う空調ユニットから空調風が供給される。このため、加温エア等をリアサイドガラス吹出口に対して供給するためのヒータやブロアが不要となり、簡単な構造で窓晴れを行うことができる。
【００１４】
請求項２記載の発明によれば、リアサイドガラス吹出口がリアベント吹出口と一体となっているため、リアサイドガラス吹出口を別個に設ける必要がなく、簡単に形成することができる。この場合であっても、リアベント吹出口に設けたルーバの角度変更によってリアサイドガラスに空調風を吹き付けるため、リアサイドガラスの曇りを速やかに除去することができる。
【００１５】
請求項３記載の発明によれば、リアサイドガラス吹出口がリアサイドパネルに延びるサイドピラーに開口しているため、リアサイドガラスへの空調風の吹き出しを確実に行うことができる。
【００１６】
請求項４記載の発明によれば、リアダクト内に補助ヒータを設けることにより、リアサイドパネルに吹き付けられる空調風の温度を高くすることができ、リアサイドガラスの曇り除去を短時間で行うことができる。
【発明を実施するための最良の形態】
【００１７】
図１は本発明の一実施形態の平面図、図２は後方側からの斜視図、図３及び図４は作動を示す縦断面図、図５及び図６は作動を示す横断面図である。
【００１８】
図１及び図２に示すように、車体の前側にはインストルメントパネル１が配置され、インストルメントパネル１の後側に２つのフロントシート２、２が配置され、フロントシート２、２の後側にベンチシートからなるリアシート３が配置されている。なお、本件でリアは、最前列に位置するフロントシートよりも後ろに位置する物を示すこととする。したがって、シートが最前列シートを含め３列設置されている場合には、前から２列目と３列目のシートがリアシートとなる。
【００１９】
インストルメントパネル１の内部には、空調ユニット４が収納されている。空調ユニット４は、ブロアユニット５と、ブロアユニット５から供給される空調風を温度調節する温調ユニット６とを有している。図３及び図４に示すように、温調ユニット６の内部には、エバポレータ等の冷却用熱交換器２５と、ヒータコア等の加熱用熱交換器２６と、これらの間に配置されることにより空調風の分配調整を行うエアミックスドア２７が配置されている。また、ブロアユニット５はブロアモータの駆動によって回転する多翼ファン２８と、多翼ファン２８を収納するスクロールケーシングとを有しており、ブロアモータが回転することにより、内気及び外気をスクロールケーシング内に吸引して温調ユニット６に供給する構造となっている。さらに、図示を省略するがインストルメントパネルの内部には、フロントガラスやフロントシート着座者に空調風を吹き付けるダクトが配置されている。
【００２０】
空調ユニット４には、フロアパネルの前後方向に沿って延びるリアダクト７が接続されている。リアダクト７は、空調ユニット４から延びる供給ダクト７ａと供給ダクト７ａの終端部分から車幅方向に沿って延びる配風ダクト７ｂとを有している。配風ダクト７ｂの中間部分には、図２に示すようにリアフットベント吹出口２１が設けられており、リアシート３への着座者の足元に空調風を吹き付けることが可能となっている。
【００２１】
配風ダクト７ｂは、リアシート３の長さ方向に沿って延びており、その両端部には車両のリアサイドパネル８に沿って立ち上がるサイドピラー９が接続されている。このサイドピラー９には、リアベント吹出口１０が取り付けられている。リアベント吹出口１０は、リアサイドパネル８上部のリアサイドガラス１１付近に設けられている。
【００２２】
この実施形態において、リアサイドガラス１１に空調風を吹き付けるリアサイドガラス吹出口を設けるものであるが、このリアサイドガラス吹出口はリアベント吹出口１０と一体となっている。すなわち、リアベント吹出口１０の開口部に複数枚のルーバ１３を回動可能に取り付け、このルーバ１３を回動させて角度変更させることにより、リアシート３の着座者への空調風の吹き出し及びリアサイドガラス１１への吹き出しを切り換えるものである。
【００２３】
図５は、ルーバ１３をリアサイドガラス１１側に回動させたものであり、この状態ではリアサイドガラス１１への空調風の吹き出しを行うリアサイドガラス吹出口となる。一方、図６はルーバ１３をリアシート３の着座者側に回動させたものであり、この状態では着座者への空調風の吹き出しを行うリアベント吹出口１０となる。
【００２４】
図２〜図４に示すように、リアダクト７における配風ダクト７ｂの内部には、補助ヒータ１５が配置されている。補助ヒータ１５は車載のバッテリ（図示省略）に接続されており、電力供給により発熱して配風ダクト７ｂ内を流れる空調風の加温を行う。
【００２５】
次に、この実施形態の作動を説明する。
【００２６】
リアシート３の着座者への空調風の吹き出しを行う場合には、図６に示すように、ルーバ１３をリアサイドガラス１１と離れる方向に回動させる。これに対し、リアサイドガラス１１への空調風の吹き出しを行う場合には、図５に示すようにルーバ１３をリアサイドガラス１１方向に回動させる。これにより、リアサイドガラス１１の内面に空調風が吹き出されるため、リアサイドガラス１１の曇りを除去することができ、リアサイドガラス１１の窓晴れ性を確保することができる。
【００２７】
リアサイドガラス１１への空調風の吹き出しの際には、冷却用熱交換器２５をＯＦＦとし、加熱用熱交換器２６をＯＮとする。これにより、加温された空調風をリアサイドガラス１１に吹き付けることができるため、リアサイドガラス１１の窓晴れ性を迅速に行うことができる。この場合において、配風ダクト７ｂ内の補助ヒータ１５を駆動することも可能であり、これにより、空調風をさらに高温とすることができ、リアサイドガラス１１の曇りを効率的に除去することが可能となる。
【００２８】
このような実施形態では、ルーバ１３の角度を変更することにより、リアベント吹出口１０をリアサイドガラス吹出口として機能させることができ、リアサイドガラス１１の曇りを速やかに除去して窓晴れ性を確保することができる。このため、車両周りの視界を向上させることができ、安全性が向上する。
【００２９】
また、リアベント吹出口１０をリアサイドガラス吹出口として機能させた状態では、リアサイドガラス１１が温調された状態となっているためリアサイドガラス１１からの外気の侵入が着座者に影響することなく、着座者への体感性を緩和することが可能となる。
【００３０】
さらに、この実施形態では、リアサイドガラス吹出口をリアベント吹出口１０と一体としたため、構造が簡単となり、安価に提供することができる。
【００３１】
図４は、リアベント吹出口１０のルーバ１３を全閉とした状態を示し、この場合には、空調風はリアベント吹出口１０に流れることなく、リアフットベント吹出口２１に供給される。この場合においても、補助ヒータ１５を駆動することにより、高温となった空調風をリアシート３の着座者の足元に吹き付けることができるため、その暖房を迅速に行うことができる。
【００３２】
図７は、本発明の別の実施形態を示す。この実施形態では、リアベント吹出口１０にサブ吹出口１７が開口されている。サブ吹出口１７は、リアサイドガラス１１側の側面に開口されることにより、リアサイドガラス１１と臨んでいる。
【００３３】
このような構造において、リアベント吹出口１０に供給された空調風は、ルーバ１３を全閉とすることにより、サブ吹出口１７からリアサイドガラス１１に向けて吹き出される。このため、リアサイドガラス１１の窓晴れ性を行うことができる。なお、ルーバ１３を全閉としない状態においても、サブ吹出口１７からリアサイドガラス１１に向けて空調風を継続して吹き出すことができるため、リアサイドガラス１１の窓晴れ性を継続することができ、窓晴れ性を持続性のあるものとすることができると共に、着座者への体感性を緩和することができる。
【００３４】
本発明は、以上の実施形態に限定されることなく種々変形が可能である。例えば、リアサイドガラス吹出口をリアベント吹出口１０と一体とすることなく、別個に設けても良い。また、補助ヒータ１５を配置しなくても良い。
【図面の簡単な説明】
【００３５】
【図１】本発明の一実施形態における平面図である。
【図２】本発明の一実施形態の後側からの斜視図である。
【図３】作動を示す縦断面図である。
【図４】作動を示す縦断面図である。
【図５】ルーバの作動を示す横断面図である。
【図６】ルーバの作動を示す横断面図である。
【図７】本発明の別の実施形態を示す横断面図である。
【符号の説明】
【００３６】
１  インストルメントパネル
３  リアシート
４  空調ユニット
７  リアダクト
７ｂ  配風ダクト
８  リアサイドパネル
９  サイドピラー
１０  リアベント吹出口
１１  リアサイドガラス
１３  ルーバ１３
１５  補助ヒータ
【図１】
2005289282.tif 000003
【図２】
2005289282.tif 000004
【図３】
2005289282.tif 000005
【図４】
2005289282.tif 000006
【図５】
2005289282.tif 000007
【図６】
2005289282.tif 000008
【図７】
2005289282.tif 000009